(57)【要約】  簡易な操作で迅速に検査可能な、高精度の破水および羊水塞栓症の検査方法を提供する。本発明の検査方法は、母体由来の生体試料中の扁平上皮癌関連抗原（ＳＣＣＡ）の濃度を測定する工程を含む。ＳＣＣＡを指標として用いることにより、簡易な操作で迅速に検査が可能でありかつ高精度な破水および羊水塞栓症の検査方法を提供することができる。
2010150804.tif 000002
【特許請求の範囲】
【請求項１】
母体由来の生体試料中の扁平上皮癌関連抗原（ＳＣＣＡ）の濃度を測定する工程を含む、破水および羊水塞栓症の検査方法。
【請求項２】
前記生体試料が、膣分泌液または血液である、請求項１に記載の方法。
【請求項３】
前記ＳＣＣＡの濃度が、免疫学的に測定される、請求項１または２に記載の方法。
【請求項４】
前記ＳＣＣＡの濃度が、ラジオイムノアッセイ、ラテックス凝集法、ＥＩＡ、ＥＬＩＳＡ、およびイムノクロマト法からなる群から選択される方法により測定される、請求項３に記載の方法。
【請求項５】
扁平上皮癌関連抗原（ＳＣＣＡ）を認識する抗体からなる、破水および／または羊水塞栓症の検査用試薬。
【請求項６】
扁平上皮癌関連抗原（ＳＣＣＡ）を認識する抗体を含む、破水および／または羊水塞栓症の検査用キット。
【発明の詳細な説明】
【技術分野】
【０００１】
本発明は、扁平上皮癌関連抗原（ＳＣＣＡ）を指標とする、破水および羊水塞栓症の検査方法に関する。
【背景技術】
【０００２】
前期破水（premature rupture of the membranes：ＰＲＯＭ）は全妊娠の５〜１０％に併発するといわれ、特に妊娠３７週未満のpreterm ＰＲＯＭは、早産の主要な原因のひとつとなっている。欧米などの先進国と同様に、日本においても新生児死亡およびハンディキャップ発生の最も大きな原因は早産である。早産のうち前期破水（ＰＲＯＭ）および切迫早産によるものは約三分の一を占める。特に妊娠２８週未満での早産は、胎児の肺が未発育・未成熟であり、感染防御能が未発達であるため、感染の早期進行と羊水量の減少とが予後不良の原因となっている。【０００３】
早産低出生体重児の予後は改善されてきたが、超低出生体重児では未だ問題が多い。日本産婦人科学会周産期委員会の報告（平成１２年集計）では、出産体重５００ｇ以上１０００ｇ未満の周産期死亡率は２６２．５であり、出産体重１０００ｇ以上の周産期死亡率６．５の約４０倍と高値である。また、新生児合併症については、重症の呼吸障害、脳室内出血、脳室周囲白質軟化症（ＰＶＬ）、未熟網膜症、症候性ＰＤＡ、壊死性腸炎の頻度が高い。したがって、早産、特に妊娠２８週未満の場合は、妊娠期間を延長し未熟性による要因を減少させることの意義は大きく、切迫早産や前期破水の治療が必要である。【０００４】
破水の発症には、子宮収縮に伴う物理的な力や局所炎症に伴う卵膜脆弱化などの複数の要因が関与している。前期破水は、大部分が子宮口付近の卵膜破綻による破水であり、高位の卵膜破綻による高位破水もある。子宮口付近の卵膜破綻は、子宮頚管炎や絨毛膜羊膜炎により増加した好中球より放出されるエラスターゼが卵膜のコラーゲンを分解することにより発生する。一方、高位の卵膜破綻は、胎便中のトリプシンが羊膜上皮細胞を破壊し卵膜のコラーゲンを分解することにより発生する。高位破水の場合、妊娠を持続させることは比較的容易であるが、子宮口付近の卵膜破綻は、上行性感染の波及が早産を加速させるため妊娠期間を延長することが難しく、特に妊娠中期の前期破水管理は重要である。【０００５】
破水診断は、膣鏡診により、子宮口から明らかな羊水流出が認められたり、後膣円蓋に羊水貯留が認められれば容易である。しかし、高位破水や子宮口からの流出量が極めて少ない場合などは、破水確認が難しい。羊水の確認方法としては、従来よりｐＨ測定法、シダ状結晶証明法、胎児脂肪球証明法、羊膜腔内色素注入法などが知られている。ｐＨ測定法は簡便なため繁用されているが、ｐＨ測定法の早産期の正診率は７１〜８５％と限界がある。そのため、近年は、頚管膣分泌液中の顆粒球エラスターゼ判定法、癌胎児性フィブロネクチン判定法、膣分泌液中のヒトインスリン様成長因子結合蛋白１型（ＩＧＦＢＰ−１）判定法、膣分泌液中のα−フェトプロテイン（ＡＦＰ）など、正診率の高い判定法が使用されている。中でもＩＧＦＢＰ−１は胎児の成長に重要な役割を果たすヒトインスリン様成長因子に結合するタンパク質のひとつで、子宮基底脱落膜より産生され、羊水中に高濃度で存在している。その濃度は、母体血清中と比較して非常に高いため、血液混入による影響をほとんど受けない。また、尿や精液中に含まれるＩＧＦＢＰ−１は検出感度以下であり、正常な膣分泌液中のＩＧＦＢＰ−１濃度は０〜９０ｎｇ／ｍＬと低い。これに対して、羊水中には１０〜８００μｇ/ｍＬの濃度で存在するため、破水した場合には羊水由来のＩＧＦＢＰ−１が膣中に漏出し、膣分泌液中のＩＧＦＢＰ−１が上昇するので、これを検出することは、破水診断の指標となる。【０００６】
しかしながら、上述のような破水診断キットでの有病正診率／無病正診率は、ｐＨ測定法で７３．７％／７２．４％、ヒト癌胎児性フィブロネクチンで８４．２％／８２．８％、ＩＧＦＢＰ−１で９４．７％／９３．１％にすぎず、さらなる高感度診断キットの開発が望まれている。【０００７】
また、発生頻度は低いが、羊水成分が母体血中に流入することにより、致死的な羊水塞栓症が発症する。羊水塞栓症では、母体の肺循環系が閉塞し、凝固系を活性化して播種性血管内凝固症候群（ＤＩＣ）を引き起こし、母体死亡率は８０％に及ぶ（非特許文献１）。羊水塞栓症の確定診断は、一般には死後の肺剖検によることがほとんどである。肺血管腔内に存在する胎児成分やムチンを染色し、母体肺中の胎児成分の存在が証明される。剖検による確定診断には、組織染色としてヘマトキシリン・エオジン染色、ムチン染色、コトイドイオン染色等が行われる（非特許文献２）。【０００８】
羊水塞栓症の治癒率改善には生前診断が不可欠である。このような母体死危険因子のスクリーニングおよび高リスク妊娠の母体把握管理に有効であると考えられる上記母体血中の羊水成分の確認および測定法として、光学的手法を用いた光ファイバーセンサーによる羊水中胎便成分羊水混濁装置が開発された。しかし、これは大学病院レベルでの臨床応用に止まるにすぎない（非特許文献３〜６）。また、母体血中の亜鉛コプロポルフィリンを高速液体クロマトグラフィー（ＨＰＬＣ）により測定する方法が報告されている（非特許文献７〜８）。しかし、この方法はその操作が煩雑で時間のかかるものである。羊水塞栓症は、発症後、ショックから心停止へと急速に進行する症例が多く、１時間以内に半数が死亡するといわれるため、より簡易な操作で迅速に診断が可能でありかつ精度の高い羊水塞栓症の検査方法が求められる。【０００９】
ところで、扁平上皮癌関連抗原（ＳＣＣＡ）は、肺癌、食道癌、皮膚癌、子宮体頸部癌など扁平上皮癌の腫瘍マーカーとして広く臨床現場で使用され認知されているタンパク質である。ＳＣＣＡは、染色体１８ｑ２１．３上にタンデムに並んでいる二つの遺伝子（ｓｃｃａ１遺伝子およびｓｃｃａ２遺伝子）にコードされているセリンプロテアーゼインヒビター（セルピン）ファミリーに属するプロテアーゼインヒビターである。以下、ＳＣＣＡ１あるいはＳＣＣＡ２というときは、それぞれｓｃｃａ１遺伝子およびｓｃｃａ２遺伝子の発現産物をいう。【００１０】
羊水中にＳＣＣＡが存在することは既に報告されている。非特許文献９には腫瘍マーカーとしてのＳＣＣＡ測定を目的に、ＳＣＣＡ１およびＳＣＣＡ２に対するモノクローナル抗体を作製し、ＳＣＣＡ１とＳＣＣＡ２とを鑑別測定するＥＬＩＳＡが報告されている。生体試料として、唾液、羊水、血清、血漿および脳脊髄液を使用し、ＳＣＣＡ１およびＳＣＣＡ２を鑑別測定した結果、血清および脳脊髄液中にはＳＣＣＡ１およびＳＣＣＡ２が共に存在しないこと、唾液中にＳＣＣＡ１が存在すること、ならびに羊水中にはＳＣＣＡ２はほとんど存在せずＳＣＣＡ１が約１０ｎｇ／ｍＬ〜８３ｎｇ／ｍＬ存在することが報告されている。【００１１】
また、気管支喘息の発作に伴ってＳＣＣＡの血中濃度が有意に高まるため、ＳＣＣＡを気管支喘息発作の検査の指標として応用することも試みられている（特許文献１）。
【先行技術文献】
【特許文献】
【００１２】
【特許文献１】特許第４１８５８６２号公報
【非特許文献】
【００１３】
【非特許文献１】高橋昌俊、日産婦関東連合地方部会会報、1991年、54巻、68-69頁
【非特許文献２】W.D.Rocheら、Obstet. Gynecol.、1974年、43巻、729-731頁
【非特許文献３】住本和博ら、周産期学シンポジウム、1988年、No.6、138頁
【非特許文献４】住本和博ら、産婦治療、1988年、56巻、345頁
【非特許文献５】寺尾俊彦ら、産婦人科の実際、1989年、38頁、347-352頁
【非特許文献６】K.Horiuchiら、Clin. Chem.、1991年、37巻、1173-1177頁
【非特許文献７】成瀬寛夫ら、日産婦誌、1990年、42巻、719-726頁
【非特許文献８】H.Naruseら、J. Perinat. Med.、1989年、17巻（Suppl.1）、104頁
【非特許文献９】S.Cataltepeら、Clinica Chimica Acta、2000年、295巻、107-127頁
【発明の概要】
【発明が解決しようとする課題】
【００１４】
本発明は、簡易な操作で迅速に検査可能でありかつ高精度な破水および羊水塞栓症の検査方法を提供することを目的とする。
【課題を解決するための手段】
【００１５】
本発明は、破水および羊水塞栓症の検査方法を提供し、該方法は、母体由来の生体試料中の扁平上皮癌関連抗原（ＳＣＣＡ）の濃度を測定する工程を含む。【００１６】
１つの実施態様では、上記生体試料は、膣分泌液または血液である。【００１７】
１つの実施態様では、上記ＳＣＣＡの濃度は、免疫学的に測定される。【００１８】
さらなる実施態様では、上記ＳＣＣＡの濃度は、ラジオイムノアッセイ、ラテックス凝集法、ＥＩＡ、ＥＬＩＳＡおよびイムノクロマト法からなる群から選択される方法により測定される。【００１９】
本発明はまた、扁平上皮癌関連抗原（ＳＣＣＡ）を認識する抗体からなる、破水および／または羊水塞栓症の検査用試薬を提供する。【００２０】
本発明はさらに、扁平上皮癌関連抗原（ＳＣＣＡ）を認識する抗体を含む、破水および／または羊水塞栓症の検査用キットを提供する。
【発明の効果】
【００２１】
本発明によれば、羊水中に高濃度に存在し、かつ正常な母体体液中にはほとんど存在しないタンパク質であるＳＣＣＡを指標として用いることにより、簡易な操作で迅速に検査可能でありかつ高精度な破水および羊水塞栓症の検査方法を提供することができる。母体由来の生体試料として膣分泌液を用いた場合には、羊水が膣中に漏出しているか否かを簡易な操作で迅速に精度良く確認することができ、血液混入の影響をほとんど受けないため、破水検査方法として優れる。また、生体試料として血液あるいは血液由来の生体試料を用いた場合には、母体の血液中に羊水が流入しているか否かを簡易な操作で迅速に精度良く確認することができるため、従来は死後剖検でしか診断できなかった羊水塞栓症の検査方法として非常に有用である。
【図面の簡単な説明】
【００２２】
【図１】本発明の実施例における羊水および血清中のＳＣＣＡ濃度の測定結果を示すグラフである。
【図２】本発明の実施例における羊水および血清中のＩＧＦＢＰ−１濃度の測定結果を示すグラフである。
【発明を実施するための形態】
【００２３】
本発明は、羊水中に高濃度存在し、かつ正常な母体体液中にはほとんど存在しないタンパク質である扁平上皮癌関連抗原（ＳＣＣＡ）を指標として用いることにより、簡易な操作で迅速に破水および羊水塞栓症検査を行うことができることを見出したことに基づく。
【００２４】
ＳＣＣＡをコードする遺伝子は２種類（ｓｃｃａ１遺伝子およびｓｃｃａ２遺伝子）存在するが、本発明では、それらの発現産物であるＳＣＣＡ１とＳＣＣＡ２とを鑑別測定しなくてもよい。好ましくは、ＳＣＣＡ１およびＳＣＣＡ２の両方を総合的に測定する。
【００２５】
（生体試料）
本発明における生体試料としては、母体から採取された体液などである。本発明においては、生体試料として、採取された臨床サンプルをそのまま、あるいは簡易な調製処理のみで検査に用いることが可能であり、煩雑な前処理の必要がない。
【００２６】
破水の検査の場合には、生体試料として母体由来の膣分泌液を用いる。膣分泌液としては、母体から採取された未処理の臨床サンプルをそのまま用いてもよく、あるいは母体の膣頚管などから綿棒などにて採取した膣分泌液を検体抽出用の任意のバッファーなどを用いて抽出して調製したサンプルを用いてもよい。
【００２７】
羊水塞栓症の検査の場合には、生体試料として母体由来の血液を用いる。血液としては、母体から採血された血液をそのまま用いてもよく、あるいは採血後遠心分離などによって調製された血清または血漿を用いてもよい。
【００２８】
（ＳＣＣＡの測定）
本発明における指標タンパク質であるＳＣＣＡの濃度の測定には、生体試料中のＳＣＣＡ濃度を測定することができる任意の方法を用いることができる。具体的には、ＳＣＣＡに特異的な抗体を利用する免疫学的測定方法、例えば、ラジオイムノアッセイ、ラテックス凝集法、ＥＩＡ、ＥＬＩＳＡ、イムノクロマト法などの種々の方法が用いられる。本発明においては、より簡易な操作で迅速に測定結果が得られる方法が好ましい。特に、羊水塞栓症は、発症後、１時間以内に半数が死亡するといわれるため、より迅速に測定可能な方法を用いる必要がある。煩雑なサンプル調製が不要であること、簡易な操作で迅速に測定結果が得られることなどから、イムノクロマト法が好ましく用いられる。
【００２９】
上記免疫学的測定方法において用いられる、指標タンパク質であるＳＳＣＡに特異的に結合する抗体は、ポリクローナル抗体でもモノクローナル抗体でもよく、当業者に周知の方法を用いて作成することができる。例えば、指標タンパク質に対するポリクローナル抗体を得るには、抗原（すなわち、ＳＣＣＡ）を感作した哺乳動物の血液を取り出し、この血液から公知の方法により血清を分離する。ポリクローナル抗体としては、ポリクローナル抗体を含む血清を使用することができ、あるいは必要に応じてこの血清からポリクローナル抗体を含む画分をさらに単離することもできる。また、モノクローナル抗体を得るには、上記抗原を感作した哺乳動物から免疫細胞を取り出して骨髄腫細胞などと細胞融合させる。こうして得られたハイブリドーマをクローニングして、その培養物から抗体を回収しモノクローナル抗体とすることができる。
【００３０】
指標タンパク質であるＳＣＣＡの検出には、通常、これらの抗体を標識して用いる。標識方法としては、酵素標識、放射線標識、蛍光標識などが挙げられる。また、これらの抗体を標識せずに、該抗体に特異的に結合する物質を標識して間接的に検出することもできる。
【００３１】
（破水検査）
本発明の検査方法によって破水検査を行う場合には、破水の発症が疑われる母体から採取された膣分泌液中のＳＣＣＡ濃度を、上記の測定方法で測定する。正常な母体の膣分泌液中にはＳＣＣＡはほとんど存在しないため、破水していない場合には膣分泌液中にＳＣＣＡは検出されない。また、正常な母体の血液中のＳＣＣＡ濃度は羊水中のＳＣＣＡ濃度と比較して非常に低いため、膣分泌液中に血液が混入した場合であっても、その影響をほとんど受けない。破水した場合には、羊水が膣中に漏出し膣分泌液に混入するため、膣分泌液中に含まれる羊水中のＳＣＣＡが検出される。したがって、本発明の検査方法では、母体の膣分泌液中のＳＣＣＡ濃度を測定することにより、膣分泌液中に羊水が含まれているかどうかを精度良く確認することができる。
【００３２】
（羊水塞栓症検査）
本発明の検査方法によって羊水塞栓症の検査を行う場合には、羊水塞栓症が疑われる母体から採取された血液中のＳＣＣＡ濃度を、上記の測定方法で測定する。血液中にはＳＣＣＡはほとんど存在しないため、正常な母体の血液中にＳＣＣＡは検出されないが、血液中に羊水成分が流入した場合には、羊水中のＳＣＣＡが検出される。したがって、本発明の検査方法では、母体から採取された血液中のＳＣＣＡ濃度を測定することにより、血液中に羊水成分が含まれているかどうかを精度良く確認することができる。
【００３３】
上記測定には、分光光度計、マイクロプレートリーダー、生化学自動分析装置などを利用できる。特に、本発明の方法を生化学自動分析装置での測定に適用することにより、多数の検体を短時間に測定することが可能である。
【００３４】
（検査用試薬および検査用キット）
本発明の検査用試薬は、ＳＣＣＡを認識する抗体からなる、破水および羊水塞栓症の検査のための試薬である。本発明の試薬を構成する抗体は、測定方法に応じて適切な標識を結合することができ、あるいは、測定方法に応じて適切な支持体に固定化され得る。上記の試薬は、どのような形態で提供されてもよく、密封包装されて提供されることが好ましい。
【００３５】
また、本発明の検査用試薬は、上記抗体の他に、検査や保存に必要な付加的要素と組み合わせて検査用キットとすることもできる。上記キットは、検量線作成用の被測定物質の標準品、使用時に各物質を溶解して適切な濃度の溶液を調製するための緩衝液、使用説明書などを含んでいてもよい。これらの要素は、必要に応じて予め混合しておいてもよい。
【００３６】
本発明の検査用キットとしては、例えば、イムノクロマト法に用いる試験片が挙げられる。試験片は、例えば、メンブレン、コンジュゲートパッド、サンプルパッドおよび吸収パッドをバッキングシート（基材）に立体的に張り合わせることにより作製できる。コンジュゲートパッドは、コンジュゲート（標識抗体など）を含ませた部材である。メンブレンは、例えば、テストラインとして抗ヒトＳＣＣＡマウスモノクローナル抗体を、コントロールラインとして抗マウスＩｇＧ抗体を固定化することにより作製できる。サンプルパッドは、サンプル添加部として用いられる部材である。吸収パッドは、クロマト展開したサンプルを吸収させるための部材である。
【００３７】
イムノクロマト法用ＳＣＣＡ測定試験片では、サンプル中にＳＣＣＡが存在する場合には、ＳＣＣＡがコンジュゲートパッド中の抗ヒトＳＣＣＡマウスモノクローナル抗体標識金コロイドと免疫学的抗原抗体反応により結合し、さらにこの複合体が毛細管現象によりメンブレン上を移動し、テストライン部位に固定化した抗ヒトＳＣＣＡマウスモノクローナル抗体に捕捉される。この結果、テストライン部位に金コロイドの赤紫色の呈色が確認される。サンプル中にＳＣＣＡが存在しない場合には、ＳＣＣＡと抗ヒトＳＣＣＡマウスモノクローナル抗体標識金コロイドとの結合が生じないため、テストライン部位は呈色しない。
【００３８】
一方、サンプル中のＳＣＣＡの存在の有無に関わらず、コンジュゲートパッド中の抗ヒトＳＣＣＡマウスモノクローナル抗体標識金コロイドはメンブレン上を移動し、コントロールライン部位に固定化した抗マウスＩｇＧ抗体に捕捉される。この結果、コントロールライン部位に金コロイドの赤紫色の呈色が確認される。
【実施例】
【００３９】
実施例１：妊産婦羊水および血清中のＳＣＣＡおよびＩＧＦＢＰ−１濃度の測定
妊産婦より採取し調製した羊水１９検体、および血清７検体をサンプルとして、それぞれの検体中のＳＣＣＡ濃度およびＩＧＦＢＰ−１濃度を測定した。羊水および血液は、インフォームドコンセントにより同意を得た妊産婦から採取した。羊水は、妊産婦から採取したものを希釈せずに用いた。血清は、妊産婦から採血した血液を遠心分離することによって調製した。【００４０】
ＳＣＣＡの測定は、化学発光免疫測定法（ＣＬＩＡ）による「ＡＲＣＨＩＴＥＣＴ  ＳＣＣ」試薬キットおよび「ＡＲＣＨＩＴＥＣＴ  アナライザー」装置（いずれもアボットジャパン株式会社製）を用いて、添付文書に従って行った。測定結果を表１および図１に示す。【００４１】
【表１】
2010150804.tif 000003
【００４２】
表１および図１に示すように、羊水中のＳＣＣＡ濃度は２８．４ｎｇ／ｍＬ〜１６３９ｎｇ／ｍＬ、血清中のＳＳＣＡ濃度は０．６ｎｇ／ｍＬ〜２．９ｎｇ／ｍＬであった。すなわち、血清中のＳＳＣＡ濃度は非常に低いのに対し、羊水中のＳＣＣＡ濃度は非常に高く、平均で血清中の２６２倍の濃度で存在していることが確認された。【００４３】
対照として、破水診断マーカーとして臨床現場で広く使用されているＩＧＦＢＰ−１の測定を行った。測定には「ＩＧＦＢＰ−１  ＥＩＡ  Ｋｉｔ」（Mediagnost社製）を用い、添付文書に従って実施した。測定結果を表２および図２に示す。【００４４】
【表２】
2010150804.tif 000004
【００４５】
表２および図２に示すように、羊水中のＩＧＦＢＰ−１濃度は０．８４μｇ／ｍＬ〜３６５．６８μｇ／ｍＬ、血清中のＩＧＦＢＰ−１濃度は２．４８μｇ／ｍＬ〜４μｇ／ｍＬであった。すなわち、羊水中のＩＧＦＢＰ−１濃度は、血清中のＩＧＦＢＰ−１濃度の平均２９倍であることが確認された。【００４６】
血清中のＳＣＣＡの濃度とＩＧＦＢＰ−１の濃度とを比較すると、ＳＣＣＡは１．３４ｎｇ／ｍＬ（７検体平均値）であるのに対し、ＩＧＦＢＰ−１は２．８６μｇ／ｍＬ（７検体平均値）であり、ＳＣＣＡの方が低濃度であった。ＳＣＣＡとＩＧＦＢＰ−１との羊水中濃度／血清中濃度比を比較すると、ＳＣＣＡの羊水中濃度は血清中濃度の平均２６２倍、ＩＧＦＢＰ−１の羊水中濃度は血清中濃度の平均２９倍であり、ＳＣＣＡの羊水中濃度／血清中濃度比は、ＩＧＦＢＰ−１の約１０倍であることが確認された。【００４７】
したがって、破水検査の指標としてＳＣＣＡを用いることにより、従来法であるＩＧＦＢＰ−１を用いる方法よりも血液混入による影響を受けず、高精度に破水を検出できることがわかった。さらに、ＳＣＣＡは羊水塞栓症の指標として有用であることがわかった。【００４８】
実施例２：イムノクロマト法用ＳＣＣＡ測定試験片の作製
Ａ．抗体固定化メンブレンの作製
横１５ｃｍ×縦２５ｍｍに裁断したイムノクロマト法用メンブレン（Millipore社製、HiFlow Plus HFB12002、製品番号：HF12002XSS）に、ヒトＳＣＣＡに対する抗ヒトＳＣＣＡマウスモノクローナル抗体（Santa Cruz Biotechnology社製、SCCA1/2(B-9)、製品番号：sc28384）０．２ｍｇ／ｍＬを、メンブレンの下端より１１ｍｍの位置に１ｍｍの幅で１５ｃｍにわたってライン状に均一に塗布し、テストラインとした。テストラインからメンブレンの上端に向かって８ｍｍ離して平行に、抗マウスＩｇＧヤギポリクローナル抗体（Fitzerald社製、Goat anti Mouse IgG、製品番号：41-GM25）０．２ｍｇ／ｍＬを同様に塗布し、コントロールラインとした。抗体を塗布したメンブレンを乾燥後、室温にて３０分間ブロッキングバッファー（５０ｍＭホウ酸、０．５％ＢＳＡ、ｐＨ８．５）に浸漬し（ブロッキング）、ブロッキングしたメンブレンを洗浄安定化バッファー（５０ｍＭ  Ｔｒｉｓ−ＨＣｌ、０．０５％コール酸ナトリウム、ｐＨ７．５）に浸漬し、次いで乾燥させた。このようにして、抗体固定化メンブレンを作製した。【００４９】
Ｂ．コンジュゲートパッドの作製
９５℃の蒸留水１Ｌに、１０％塩化金酸溶液２ｍＬを撹拌しながら添加し、さらに２％クエン酸ナトリウム溶液１０ｍＬを添加して撹拌した。室温に冷却した後、０．１Ｍ炭酸カリウム溶液を加えてｐＨ７．１に調整し、金コロイド溶液を得た。【００５０】
上記メンブレンに固定化した抗ヒトＳＣＣＡマウスモノクローナル抗体とはエピトープが異なる２種類の抗ヒトＳＣＣＡマウスモノクローナル抗体ＳＣＣＡ１（Santa Cruz Biotechnology社製、SCCA1(8H11)、製品番号：sc-21767）およびＳＣＣＡ２（Santa Cruz Biotechnology社製、SCCA2(10C12)、製品番号：sc-21793）を、それぞれ抗体濃度が５０μｇ/ｍＬとなるように０．０５％アジ化ナトリウムを含む１０ｍＭ  ＨＥＰＥＳ（ｐＨ７．１）で希釈した。【００５１】
２種類の抗ヒトＳＣＣＡマウスモノクローナル抗体ＳＣＣＡ１およびＳＣＣＡ２の希釈液０．１ｍＬを、それぞれ上記で得た金コロイド溶液１ｍＬに混合し、これを冷蔵下で２時間攪拌した。次いで、ブロッキングバッファー(１０ｍＭ  ＨＥＰＥＳ、０．５％ＢＳＡ、５．４６％マンニトール、ｐＨ７．１)０．１ｍＬを添加し、これを３７℃にて９０分間攪拌した後、遠心分離により上清を除去した。次いで、得られた抗ＳＣＣＡモノクローナル抗体結合金コロイドの沈殿を金コロイド塗布バッファー（２０ｍＭ  Ｔｒｉｓ−ＨＣｌ、５％スクロース、０．０５％ＰＥＧ、ｐＨ８．０）１．０ｍＬの添加により分散させ、抗ヒトＳＣＣＡマウスモノクローナル抗体が金コロイド粒子に結合した金コロイド標識抗体の溶液を２種類得た。得られた２種類の抗ヒトＳＣＣＡマウスモノクローナル抗体結合金コロイド標識抗体溶液を、ＳＣＣＡ１：ＳＣＣＡ２＝５：１の割合で混合した。次いで、横１５ｃｍ×縦８ｍｍに裁断したグラスファイバ−パッド（Millipore社製、Glass Fiber Conjugate Pad、製品番号：GFCP203000）に、上記混合した金コロイド標識抗体溶液０．８ｍＬを均一に塗布し、このパッドを真空乾燥機にて乾燥させた。このようにして、コンジュゲートパッドを作製した。【００５２】
Ｃ．イムノクロマト法用ＳＣＣＡ測定試験片の作製
上記Ａ．で作製した抗体固定化メンブレン上に上記Ｂ．で作製したコンジュゲートパッド、サンプルパッド（Millipore社製、Glass Fiber Conjugate Pad、製品番号：GFCP203000）および吸収パッド（Millipore社製、Cellrose Fiber Sample Pad、製品番号：CFSP223000）をバッキングシート（Adhesives Research社製、ARcare9020  プレカットプラスチックバッキングシート、製品番号：301902000010）に立体的に張り合わせて、０．５ｃｍ幅に裁断し、イムノクロマト法用ＳＣＣＡ測定試験片を作製した。【００５３】
実施例３：イムノクロマト法用ＳＣＣＡ測定試験片による妊産婦羊水中のＳＣＣＡの測定
妊産婦より採取し調製した羊水１０検体をサンプルとして、実施例２で作製したイムノクロマト法用ＳＣＣＡ測定試験片を用いて、検体中のＳＣＣＡの測定を試みた。妊産婦より採取した羊水は、ＰＢＳでそれぞれ１０倍に希釈して用いた。ブランクとして、ＰＢＳのみを用いた。【００５４】
サンプル１２０μＬを、イムノクロマト法用ＳＣＣＡ測定試験片のサンプル添加部に滴下し、クロマト展開させた。サンプル滴下５分後および１０分後のテストライン部位およびコントロールライン部位における赤紫色の呈色の有無および呈色度合いを、肉眼で観察した。結果を表３に示す。なお、評価基準は、以下の通りである。
−  ：ライン呈色無し
＋Ｗ：微弱ライン呈色有り
＋  ：明確ライン呈色有り【００５５】
【表３】
2010150804.tif 000005
【００５６】
上記の羊水１０検体をサンプルとして、実施例１と同様にして、検体中のＳＣＣＡ濃度を測定した。測定結果を表３に示す。【００５７】
表３に示すように、検体Ｎｏ．１を除くすべての検体においてテストライン部位において赤紫色の呈色が認められ、ＳＣＣＡが測定されたことが確認できた。検体Ｎｏ．１はテストライン部位の呈色が認められなかったが、これは羊水中のＳＣＣＡが低濃度であったためと考えられる。【００５８】
したがって、羊水中のＳＣＣＡの測定方法としてイムノクロマト法が有用であることがわかった。
【産業上の利用可能性】
【００５９】
本発明によれば、母体体液中のＳＣＣＡを指標として用いることにより、破水および羊水塞栓症を、簡易な操作で迅速にかつ高精度に検査することができる。したがって、本発明は、妊産婦に対して早期により適切な処置を施すために非常に有用である。
【図１】
2010150804.tif 000006
【図２】
2010150804.tif 000007
【国際調査報告】
2010150804.tif 000008
2010150804.tif 000009
2010150804.tif 000010
2010150804.tif 000011
2010150804.tif 000012
2010150804.tif 000013